(57)【要約】【課題】吹出し気流全体の風速を出来るだけ落とさずに、吹出し気流の風速のムラを少なくすること。【解決手段】ファンユニット（２）は、一方方向に長く、長手方向一端側が開口され、他端側が閉塞された筒状の筐体（２１）と、筐体（２１）の開口側に設けられ、筐体内（３０）に風を送り込むファン（２２）と、筐体の長手方向に沿ってライン状に設けられた吹出し口（２３）と、少なくとも１つの風向ガイド板（４）とを備える。風向ガイド板（４）は、吹出し口からの送風量を、吹出し口の一端から他端まで均一にするために、筐体内（３０）における、吹出し口に接して長手方向に延びる吹出し口近接領域（３１）と吹出し口から離れて長手方向に延びる吹出し口離隔領域（３２）とのうち、吹出し口離隔領域（３２）に固定される。【選択図】図４
2015183995.tif 000002
【特許請求の範囲】
【請求項１】
一方方向に長く、長手方向一端側が開口され、他端側が閉塞された筒状の筐体と、
前記筐体の開口側に設けられ、前記筐体内に風を送り込むファンと、
前記筐体の長手方向に沿ってライン状に設けられ、前記ファンから前記筐体内に送り込まれた風を外部に吹き出すための吹出し口と、
前記吹出し口からの送風量を、前記吹出し口の一端から他端まで均一にするために、前記筐体内における、前記吹出し口に接して長手方向に延びる吹出し口近接領域と前記吹出し口から離れて長手方向に延びる吹出し口離隔領域とのうち、前記吹出し口離隔領域に固定された少なくとも１つの風向ガイド板とを備える、ファンユニット。
【請求項２】
前記風向ガイド板は、前記ファンおよび前記吹出し口の双方を向く面を有している、請求項１に記載のファンユニット。
【請求項３】
前記筐体は、矩形状断面を有しており、
前記風向ガイド板は、前記吹出し口が設けられた第１の面に対向する第２の面に固定されている、請求項１または２に記載のファンユニット。
【請求項４】
前記風向ガイド板は、前記第１の面に交差する一対の第３の面のうちの、少なくとも一方から離れて配置されている、請求項３に記載のファンユニット。
【請求項５】
前記筐体は、長手方向中央位置を境界として、前記一方端側に位置する第１領域と、前記他方端側に位置する第２領域とを有し、
前記風向ガイド板は、前記第１領域に設けられる、請求項１〜４のいずれかに記載のファンユニット。
【請求項６】
前記筐体には、長手方向に沿って、複数の風向ガイド板が設けられ、
前記複数の風向ガイド板は、大きさ、取付け角度、形状、および、隣り合う風向ガイド板との間隔、のうちの少なくともいずれかが異なっている、請求項１〜５のいずれかに記載のファンユニット。
【請求項７】
前記複数の風向ガイド板は、前記ファンに近い側の第１の板と、前記ファンに遠い側の第２の板とを含み、
前記ファン側から前記筐体を透視した場合の前記筐体の流路面積に対し、風を遮る遮蔽面積は、前記第２の板よりも前記第１の板の方が大きい、請求項６に記載のファンユニット。
【発明の詳細な説明】
【技術分野】
【０００１】
本発明は、ファンユニットに関し、特に、建物外壁の窓の屋内面に沿って空気を流動させるために、カーテン状の吹出し気流を生成するためのファンユニットに関する。
【背景技術】
【０００２】
近年、建物外壁の開口部に設けられたガラスと、このガラスの内側に設けられた日射を遮蔽するブラインドと、このブラインドの内側に設けられたガラスとを備えたエアフローウインドウやダブルスキンが採用されている。エアフローウインドウ及びダブルスキンは、外側のガラスと内側のガラスとの間に形成される空間に空気を流動させて、熱負荷を低減するシステムである。
【０００３】
一方で、エアフローウインドウ及びダブルスキンは、外側のガラスと内側のガラスとの間で気密空間を形成するので、コストが高いなどの問題を有している。そこで、内側にガラスを設けない構造として、例えば、特開平７−１８９５９号公報（特許文献１）及び特許第２６６２７５５号公報（特許文献２）などの技術が考えられている。
【０００４】
特許文献１には、窓ガラスの内側に、複数のスラットで構成するブラインドを設置し、このブラインドの室内側の端部に透視性を有するスクリーンを貼着したことを特徴とする日射遮蔽装置が開示されている。特許文献２には、窓ガラスの内側に、不透明な繊維で織られた日射遮蔽用の不透明なロールスクリーンと、内側に低放射フィルムを貼設した透明なロールスクリーンとを相互間に通風間隔を存して並設し、かつ、これらロールスクリーンは個別に昇降自在としたことを特徴とする日射遮蔽装置が開示されている。
【０００５】
エアフローウインドウをはじめ、建物外壁の窓の屋内面に沿って空気を流動させる必要がある場合、カーテン状の吹出し気流を生成するファンユニットが、通気空間の下方位置に設けられる。
【０００６】
たとえば特開２０００−２７４７６９号公報（特許文献３）には、一端が開口し、他端が閉ざされた細長いチャンバーを有し、１つの軸流送風機（ファン）が開口端部部分に設けられた送風装置が開示されている。この送風装置には、長手方向に風速の均一なカーテン状の吹出し気流を生成するために、チャンバーの長手方向に沿って、スリット状の吹出し口が設けられている。また、チャンバーの軸方向に対して直角に吹出し気流を生成するために、チャンバーの内部に、吹出し口に接するように複数の整流板が設けられている。
【先行技術文献】
【特許文献】
【０００７】
【特許文献１】特開平７−１８９５９号公報
【特許文献２】特許第２６６２７５５号公報
【特許文献３】特開２０００−２７４７６９号公報
【発明の概要】
【発明が解決しようとする課題】
【０００８】
上記特許文献３のように、吹出し口に接するように複数の風向ガイド板（整流板）を設けると、吹出し気流全体の風速が落ちてしまうことが考えられる。また、製造上、吹出し口に接するように、風向ガイド板を設置することが困難な場合もある。
【０００９】
本発明は、上記のような課題を解決するためになされたものであって、その目的は、吹出し気流全体の風速を出来るだけ落とさずに、吹出し気流の風速のムラを少なくすることのできるファンユニットを提供することである。
【課題を解決するための手段】
【００１０】
この発明のある局面に従うファンユニットは、筒状の筐体と、ファンと、吹出し口と、少なくとも１つの風向ガイド板とを備える。筐体は、一方方向に長く、長手方向一端側が開口され、他端側が閉塞されている。ファンは、筐体の開口側に設けられ、筐体内に風を送り込む。吹出し口は、筐体の長手方向に沿ってライン状に設けられ、ファンから筐体内に送り込まれた風を外部に吹き出す。風向ガイド板は、吹出し口からの送風量を、吹出し口の一端から他端まで均一にするために、筐体内における、吹出し口に接して長手方向に延びる吹出し口近接領域と吹出し口から離れて長手方向に延びる吹出し口離隔領域とのうち、吹出し口離隔領域に固定される。
【００１１】
好ましくは、風向ガイド板は、ファンおよび吹出し口の双方を向く面を有している。
【００１２】
好ましくは、筐体は、矩形状断面を有しており、風向ガイド板は、吹出し口が設けられた第１の面に対向する第２の面に固定されている。
【００１３】
好ましくは、風向ガイド板は、第１の面に交差する一対の第３の面のうちの、少なくとも一方から離れて配置されている。
【００１４】
筐体は、長手方向中央位置を境界として、一方端側に位置する第１領域と、他方端側に位置する第２領域とを有し、風向ガイド板は、第１領域に設けられることが望ましい。
【００１５】
筐体には、長手方向に沿って、複数の風向ガイド板が設けられてもよい。この場合、複数の風向ガイド板は、大きさ、取付け角度、形状、および、隣り合う風向ガイド板との間隔、のうちの少なくともいずれかが異なっていることが望ましい。
【００１６】
複数の風向ガイド板は、ファンに近い側の第１の板と、ファンに遠い側の第２の板とを含む。ファン側から筐体を透視した場合の筐体の流路面積に対し、風を遮る遮蔽面積は、第２の板よりも第１の板の方が大きいことが望ましい。
【発明の効果】
【００１７】
本発明のファンユニットによれば、吹出し気流全体の風速を出来るだけ落とさずに、吹出し気流の風速のムラを少なくすることができる。また、筐体内に、風向ガイド板を簡単に設置することもできる。
【図面の簡単な説明】
【００１８】
【図１】本発明の実施の形態に係る建物外壁の開口部構造を模式的に示す断面図である。
【図２】本発明の実施の形態に係るファンユニットを側面側から見た図である。
【図３】本発明の実施の形態に係るファンユニットの上面を部分的に示す図である。
【図４】本発明の実施の形態に係るファンユニットの筐体内を模式的に示す断面図である。
【図５】本発明の実施の形態において、風向ガイド板が設置される領域を模式的に示す図である。
【図６】本発明の実施の形態において、風向ガイド板の遮蔽面積について説明するための図である。
【図７】ファンユニットの筐体内に風向ガイド板を設けない場合の吹出し風速のバラツキを模式的に示す図である。
【図８】実験に用いられた試験体（ファンユニット）を示す図である。
【図９】図８に示す試験体における、条件１での実験結果を示す図である。
【図１０】図８に示す試験体における、条件２での実験結果を示す図である。
【図１１】図８に示す試験体における、条件３での実験結果を示す図である。
【図１２】図８に示す試験体における、条件４での実験結果を示す図である。
【図１３】図８に示す試験体における、条件５での実験結果を示す図である。
【図１４】図８に示す試験体における、条件６での実験結果を示す図である。
【発明を実施するための形態】
【００１９】
本発明の実施の形態について図面を参照しながら詳細に説明する。なお、図中同一または相当部分には同一符号を付してその説明は繰返さない。
【００２０】
本実施の形態に係るファンユニットは、建物の室内側であって、外壁に設けられた窓（開口部）の下方に設けられる。はじめに、本実施の形態に係るファンユニットを含む、建物外壁の開口部構造について簡単に説明する。
【００２１】
＜建物外壁の開口部構造について＞
図１には、本実施の形態に係る建物外壁の開口部構造１０が示されている。この開口部構造１０は、出願人が、特願２０１３−１５０９０４号として出願済みの建物外壁の開口部構造を採用している。開口部構造１０は、窓１１と、窓遮蔽部材１５と、吸気部１６と、排気部１９とを備えている。窓遮蔽部材１５は、窓１１の内側に配置されている。吸気部１６は、窓１１の下方に配置されている。排気部１９は、窓１１の上方に配置されている。
【００２２】
窓１１は、建物外壁１０１の開口部１０２全体を遮蔽し、建物外壁１０１の開口部１０２の下部を遮蔽する第１の窓１２と、開口部１０２の上部を遮蔽する第２の窓１３とを有している。本実施の形態では、窓１１は第１及び第２の窓１２、１３からなり、第１の窓１２上に第２の窓１３が設けられている。第１及び第２の窓１２、１３は、例えば、窓枠と、窓枠に取り付けられたガラスとを含む。ガラスは透明であり、日射を取り込むことができる。
【００２３】
第１の窓１２は、閉じた窓であり、例えば、開閉することのできないＦＩＸ窓を用いてもよく、開閉可能な窓を用いてもよい。第２の窓１３は、開閉可能な窓であり、例えば、排煙窓、外倒し窓などを用いることができる。また、窓１１を引違い窓とし、第１の窓１２と第２の窓１３とをそれぞれ異なるレールに嵌め、第２の窓１３を滑らせることで開閉可能にしてもよい。
【００２４】
窓遮蔽部材１５は、窓１１の内側（屋内面）に沿って配置され、窓１１と、建物内部の室内とを遮蔽する。窓遮蔽部材１５は、窓１１との間に空気が流動する流路（以下、「空気層１４」とも言う）を形成する。窓遮蔽部材１５は、例えば、ブラインド、ロールスクリーン、カーテンなどであってよい。窓遮蔽部材１５は、日射を遮蔽する材質であることが好ましく、日射反射率の高い材質であることがより好ましい。
【００２５】
窓遮蔽部材１５は、上端縁１５Ａと、この上端縁１５Ａと反対側の下端縁１５Ｂとを有し、上端縁１５Ａが上下方向に変位可能なように設けられている。つまり、窓遮蔽部材１５は、上方から開口するように構成されている。このため、窓遮蔽部材１５は上からの開口面積（開口度合）を任意に調整することができる。
【００２６】
ここで、上端縁１５Ａとは、窓遮蔽部材１５において最も上の位置である。言い換えると、上端縁１５Ａとは、建物の室内側から窓遮蔽部材１５を見たときに、窓遮蔽部材１５の最も高い位置である。窓遮蔽部材１５の上端縁１５Ａの最大高さは、第１の窓１２の上端縁または第２の窓１３の下端縁と略同じ高さであってもよい。一方、窓遮蔽部材１５の下端縁１５Ｂは、固定されていることが好ましく、例えば、第１の窓１２の下端縁と略同じ高さである。
【００２７】
このように、窓遮蔽部材１５の上端縁１５Ａを、第２の窓１３に対向する空間が開口するように位置させても、空気層１４を上昇する空気は窓１１に沿って流動する。すなわち、窓遮蔽部材１５と天井との間に開口を有していても、たとえば、排気部１９における吸引口の大きさ、上端縁１５Ａと排気部１９との距離等を調整することにより、窓遮蔽部材１５の上端縁１５Ａと天井との間の開口からの空気層１４の空気の漏れ、および、当該開口から空気層１４への室内の空気の流入を抑制することができる。なお、窓遮蔽部材１５の上端縁１５Ａは、天井高さまで上昇可能であってもよい。
【００２８】
窓遮蔽部材１５は、下から上に向けて窓１１に近づくように傾斜していていることが望ましい。つまり、窓遮蔽部材１５と窓１１との間に形成される空気の流路である空気層１４は、下から上に向けて狭くなっていることが望ましい。これにより、窓遮蔽部材１５に沿った指向性の高い気流を空気層１４内に形成できるからである。そうすることで、窓遮蔽部材１５と天井との間に開口を有していても、当該開口からの空気層１４の空気の漏れ、および、当該開口から空気層１４への室内の空気の流入をより確実に抑制することができる。その結果、排熱効率が高められる。
【００２９】
なお、窓遮蔽部材１５の上端縁１５Ａを上下方向に変位可能にするために、例えば、窓遮蔽部材１５の上端縁１５Ａを支持するための支持部材（図示せず）と、窓遮蔽部材１５を巻き取るための巻取部材（図示せず）とが配置されている。支持部材は、例えば開口部１０２の両側部にレール状で設けられ、窓遮蔽部材１５の上端縁１５Ａの幅方向両端部がこの支持部材の中を通って上下方向に可変し自由な位置で調節できる。このとき窓遮蔽部材１５も両端はレール状の支持部材で支持されてもよく支持されなくてもよい。巻取部材は、例えば窓遮蔽部材１５の下端縁１５Ｂ下に設けられる。また、窓遮蔽部材１５が下から上に向けて窓１１に近づくように傾斜するためには、例えば、このレール状の支持部材を下から上に向けて窓１１に近づくように傾斜するように配置する。
【００３０】
吸気部１６は、第１の窓１２の下方に配置され、室内の空気を吸引し、窓１１と窓遮蔽部材１５との間に形成される空間である空気層１４に空気を流す。この吸気部１６に、ファンユニット２が設けられる。
【００３１】
排気部１９は、第２の窓１３の上方に配置され、建物内部及び建物外部の少なくとも一方へ空気を排出する。排気部１９が建物外部に空気を排出する場合には、排気部１９は例えば天井部に設けられる。本実施の形態では、排気部１９は第２の窓１３の上に設けられ、かつその入口が空気層１４の直上である。排気部１９にも、ファン１９０が配置されていてもよい。なお、排気部１９は、吸気部１６から吸引されて窓１１に沿って上昇した空気を建物内部及び建物外部の少なくとも一方へ排出する構成であれば、第２の窓１３上の壁に設けられる配置に特に限定されない。
【００３２】
上記のような建物外壁の開口部構造１０においては、気温や気候に応じて、第２の窓１３の開閉と、窓遮蔽部材１５の上端縁１５Ａの位置とが調整されることで、建物外壁１０１の開口部１０２の熱負荷を低減することができる。なお、第２の窓１３の上方の外壁１０１には、建物内部の日射遮断機能及び採光機能を季節等に応じて持たせるために、庇１０３が配置されていてもよい。
【００３３】
上述のように、吸気部１６には、ファンユニット２が設けられている。ファンユニット２が窓１１の下方に設けられることで、空気層１４内の空気の流動を促進することができる。これにより、煙突効果と相乗して空気層１４の通気量が増加するため、排熱量を増やすことができる。以下に、本実施の形態に係るファンユニット２の構成について、詳細に説明する。
【００３４】
＜ファンユニットについて＞
図１および図２を参照して、まず、ファンユニット２の概要について説明する。図２には、カバー材１７を取り外した状態で、室内側から見たファンユニット２の外観が示されている。
【００３５】
ファンユニット２は、室内側において窓１１の下方に配置されている。ファンユニット２は、窓１１の幅方向に延び、空気層１４に空気を流動させるために、カーテン状の吹出し気流を生成する。ファンユニット２の室内側の側面２１ｃおよび上面２１ａの一部は、カバー材１７に覆われている。このように、ファンユニット２は、窓１１の下方に位置する外壁１０１とカバー材１７とで囲まれた空間１０４内に配置されている。この場合、上記した窓遮蔽部材１５の下端縁１５Ｂは、カバー材１７に接する。
【００３６】
ファンユニット２は、筒状の筐体２１と、ファン２２と、吹出し口２３とを備えている。筐体２１は、一方方向に長く、長手方向一端側が開口され、他端側が閉塞されている。また、筐体２１は、矩形状断面を有している。ファン２２は、筐体２１の開口側に設けられ、筐体２１内に風を送り込む。筐体２１は、チャンバーボックスとして機能する。
【００３７】
吹出し口２３は、筐体２１の長手方向に沿ってライン状に設けられ、ファン２２から筐体２１内に送り込まれた風を外部に吹き出す。吹出し口２３は、筐体２１の上面２１ａに設けられているため、吹出し口２３からの空気は上昇気流として空気層１４を流れる。図３に示されるように、吹出し口２３は、スリット構造を有している。つまり、吹出し口２３は、筐体２１の上面２１ａから上方に立ち上がる矩形状の枠体２３１内に設けられた、複数の仕切り板２３２によって仕切られている。仕切り板２３２は、上下方向に延びているため、長手方向に直交する方向に空気が吹き出される。
【００３８】
本実施の形態では、吹出し口２３は、上面２１ａのたとえば窓１１寄りの位置に設けられている。吹出し口２３の枠体２３１の周囲には、カバー材１７との隙間を塞ぐために、気密パッキン（図示せず）が設けられていてもよい。なお、第１の窓１２と第２の窓１３との間の横架材１１０が室内側へ突出している場合には、横架材１１０によって気流が乱されることがないよう、吹出し口２３は、窓遮蔽部材１５寄りに設けられることが望ましい。
【００３９】
上述のように、ファンユニット２が、筐体２１の一端側にのみファン２２を備える場合、図７に示すように、吹出し口２３からの送風量、すなわち風速は、他端側へ向けて大きくなる傾向がある。つまり、吹出し口２３からの送風量は、長手方向にバラツキ（ムラ）が生じる。しかし、吹出し口２３の一端から他端まで送風量は、均一であることが望ましい。そこで、本実施の形態では、図４に示されるように、筐体２１の内部空間３０に、少なくとも１枚の風向ガイド板４が設けられる。
【００４０】
風向ガイド板４は、筐体２１の底面２１ｂに固定される。つまり、吹出し口２３が設けられた上面２１ａに対向する面に固定される。より具体的には、風向ガイド板４は、吹出し口２３に接して長手方向に延びる領域（以下、「吹出し口近接領域」という）３１に長手方向に風が通過できるように、吹出し口２３から離れている。つまり、風向ガイド板４は、吹出し口２３から離れて長手方向に延びる領域（以下、「吹出し口離隔領域」という）３２に固定されている。図５には、これらの領域が概念的に示されている。
【００４１】
図５を参照して、ファンユニット２の筐体２１の内部空間３０は、吹出し口近接領域３１と、吹出し口離隔領域３２とを有している。吹出し口２３の近傍にハッチングで示された領域が吹出し口近接領域３１であり、それ以外の領域が吹出し口離隔領域３２である。ただし、風向ガイド板４は、吹出し口２３に対し直交する方向に離れて配置されていることが望ましい。なお、図５に示す領域３１，３２の形状や大きさは、単なる一例である。
【００４２】
風向ガイド板４は、その側方にも流路を確保するために、筐体２１の一対の側面２１ｃ，２１ｄのうちの、少なくとも一方から離れて配置されることが望ましい。本実施の形態では、風向ガイド板４は、吹出し口２３から遠い方の側面２１ｃから離れて配置されている。
【００４３】
風向ガイド板４は、たとえば、筐体２１の内部空間３０内において底面２１ｂ上に固定されるベース部４１と、ベース部４１に接続され、他端側へ向けて斜め上方に延びる遮蔽部４２とを含む。つまり、遮蔽部４２は、ファン２２および吹出し口２３の双方を向く面を有している。これにより、遮蔽部４２のファン２２側の面によって、ファン２２からの風の他端側への流動を遮るとともに、吹出し口２３への流動を案内することができる。これにより、風向ガイド板４を設けたとしても、ファン２２からの吹出し気流の風速の低下率を抑えることができる。
【００４４】
風向ガイド板４のベース部４１と遮蔽部４２とは、たとえば一枚の板が折り曲げ加工されることによって形成されている。遮蔽部４２は、たとえば、ベース部４１の他端側の端部に接続されている。そのため、風向ガイド板４を筐体２１内に設置する場合、ネジなどの固定具や接着剤などによって、ベース部４１を底面２１ｂ上に固定するだけでよい。したがって、筐体２１内に簡単に風向ガイド板４を設置することができる。
【００４５】
ここで、風向ガイド板４の個数、配置位置、大きさ、取付け角度、形状、および、複数個の場合の隣り合う風向ガイド板との間隔、といった複数種類の条件は、ファン２２の風量および筐体２１の内部空間３０の大きさ等に応じて定められればよい。風向ガイド板４が複数個設けられる場合には、複数の風向ガイド板４は、互いに、上記した複数種類の条件のうちの少なくともいずれかが異なっていることが望ましい。
【００４６】
以下に、出願人が行った実験結果について説明する。実験は、風向ガイド板の取付け位置、枚数等の条件を複数パターン変えて行われた。図８（Ａ），（Ｂ）に示すような試験体（ファンユニット）の筐体内に少なくとも１枚の風向ガイド板を設置して、吹出し口から吹き出される空気の風速を１１箇所（Ａ〜Ｋ）で測定した。各箇所の風速は、吹出し口の長手方向両側面に、吹出し口から高さ５０ｍｍの壁を設け、この５０ｍｍの高さで１５秒測定した測定値の平均値として表されている。なお、図８（Ａ）には、試験体の上面図が示され、図８（Ｂ）には、試験体をファン側から見た場合の平面図と、試験体を長手方向に沿って切断した場合の縦断面図とが示されている。
【００４７】
複数条件のうち６条件での実験結果が、図９〜図１４にそれぞれ示されている。各図（Ａ），（Ｂ）は、それぞれ、図８（Ａ），（Ｂ）に対応した図面である。図９〜図１４の（Ａ）には、風向ガイド板を上から見た場合の形状が破線にて示されている。また、風向ガイド板の幅の大小が記号Ｗａ〜Ｗｃによって示されている。図９〜図１４の（Ｂ）には、風向ガイド板を横から見た場合の形状が実線にて示されている。また、風向ガイド板の高さの大小が記号Ｈａ〜Ｈｊによって示され、取付け角度が数値にて示されている。各図（Ｃ）には、吹出し口の長手方向に沿った１１箇所それぞれの風速と、全体の平均風速とが表形式で示されている。各図（Ｄ）には、１１箇所それぞれの風速が折れ線グラフとして示されている。
【００４８】
風向ガイド板の幅Ｗａは、幅Ｗｂより小さく、幅Ｗｃより大きい。風向ガイド板の高さＨａ〜Ｈｊは、高さＨａが最も低く、高さＨｊが最も高くなるよう、高さ順となっている。
【００４９】
条件１〜６の実験結果より、次のような知見を得た。
（１）１つの風向ガイド板に着目した場合、その手前で風速が上がり、その裏側で風速が低下する傾向がある。
（２）風向ガイド板の個数は、２以下であることが望ましく、１枚であってもよい。風向ガイド板の個数が３以上であると、吹出し気流全体の風速が落ちるからである。
（３）ファンに近い側に、風向ガイド板を設けることが望ましい。ファンに遠い側は、風向ガイド板を設けても、風速のムラの低減にはあまり機能しないからである。より望ましくは、筐体の内部空間を長手方向に４等分した場合、最もファンに近い領域に風向ガイド板を設ける。
（４）ファンに近い側に、流路を狭くする風向ガイド板を設けることが望ましい。吹出し気流全体の風速の低下率を抑えることができ、また、風速のムラが生じる領域が小さくなるからである。具体的には、ファン側から筐体を透視した場合の筐体の流路面積を１００とした場合、ファンに最も近い風向ガイド板が風を遮る遮蔽面積は、たとえば５０〜６０の範囲であることが望ましい。
【００５０】
上記（１）〜（４）に鑑み、図４に示されるように、本実施の形態のファンユニット２は、たとえば２つの風向ガイド板４を有している。風向ガイド板４の取付け角度θは、たとえば７５度である。なお、２つの風向ガイド板４を区別する必要がある場合には、ファン２２に近い方を風向ガイド板４Ａ、ファン２２から遠い方を風向ガイド板４Ｂという。
【００５１】
概念上において、筐体２１の長手方向中央位置３００を境界として、一方端側に位置する領域を第１領域３３、他方端側に位置する領域を第２領域３４と区画する。この場合、風向ガイド板４Ａ，４Ｂは、ともに、第１領域３３に設けられている。つまり、風向ガイド板４は、筐体２１の他方端側に位置する第２領域３４には設けなくてよい。
【００５２】
概念上において、さらに、第１領域３３のうち、その長手方向中央領域３３０を境界として一方端側に位置する領域をファン近接領域３３１、他方端側に位置する領域を中央寄り領域３３２と区画する。この場合、少なくともファン２２に近い側の風向ガイド板４Ａは、ファン近接領域３３１に設けられることが望ましい。本実施の形態では、ファン２２に遠い側の風向ガイド板４Ｂも、ファン近接領域３３１に設けられている。
【００５３】
また、風向ガイド板４Ａの遮蔽面積は、風向ガイド板４Ｂの遮蔽面積よりも大きい。遮蔽面積については、図６を参照して説明する。図６（Ａ）に、ファン２２側（一端側）から筐体２１を透視した場合の筐体２１の流路面積がハッチングにて示されている。図６（Ｂ），（Ｃ）には、それぞれ、風向ガイド板４Ａ，４Ｂの遮蔽面積がハッチングにて示されている。図６（Ｂ），（Ｃ）に示されるように、風向ガイド板４Ａは、高さおよび幅のいずれもが、風向ガイド板４Ｂよりも大きいため、遮蔽面積は、風向ガイド板４Ａの方が大きい。なお、風向ガイド板４Ａは、筐体２１の流路面積を１００とした場合、その遮蔽面積はたとえば５５程度である。
【００５４】
なお、本実施の形態では、筐体２１内に２つの風向ガイド板４を近接して設けたが、ファン２２に近い側の風向ガイド板４Ａのみが設けられてもよい。この場合でも、図１４の条件６に示すように、吹出し気流の風速のムラが生じる領域は少ないからである。風向ガイド板４の個数を１枚とした場合、風向ガイド板４の設置の手間をより省力化することができるとともに、ファンユニット２の製造コストを抑えることもできる。
【００５５】
本実施の形態では、ファンユニット２は、図１に示したような建物外壁１０１の窓１１の奥内面に沿って空気を流動させるために用いられた。しかしながら、ファンユニット２は、他の用途に用いられてもよい。つまり、ファンユニット２は、建物外壁１０１の窓１１の下方以外の場所に設置されてもよい。その場合、ファンユニット２の吹出し口２３は、筐体２１の上面２１ａ以外の面に設けられてもよい。また、筐体２１の断面形状は、矩形状に限定されない。
【００５６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５７】
２  ファンユニット、４，４Ａ，４Ｂ  風向ガイド板、５  支持部材、１０  開口部構造、１１  窓、１２  第１の窓、１３  第２の窓、１４  空気層、１５  窓遮蔽部材、１６  吸気部、１７  カバー材、１８  支柱部材、１９  排気部、２１  筐体、２２，１９０  ファン、２３  吹出し口、２４，２５  取付け部、３０  内部空間、３１  吹出し口近接領域、３２  吹出し口離隔領域、３３  第１領域、３４  第２領域、４１  ベース部、４２  遮蔽部、５１  筐体当接部、５２，５３  支柱当接部、６１，６２  連結部材、１０１  建物外壁、１０２  開口部、１０３  庇、２３２  仕切り板、２５０  貫通穴、３３１  ファン近接領域、３３２  中央寄り領域。
【図１】
2015183995.tif 000003
【図２】
2015183995.tif 000004
【図３】
2015183995.tif 000005
【図４】
2015183995.tif 000006
【図５】
2015183995.tif 000007
【図６】
2015183995.tif 000008
【図７】
2015183995.tif 000009
【図８】
2015183995.tif 000010
【図９】
2015183995.tif 000011
【図１０】
2015183995.tif 000012
【図１１】
2015183995.tif 000013
【図１２】
2015183995.tif 000014
【図１３】
2015183995.tif 000015
【図１４】
2015183995.tif 000016